(57)【要約】【課題】利便性及び娯楽性を向上させた撮像装置、同方法およびプログラムを記録した記録媒体を提供する。【解決手段】撮影者はテンプレート合成撮影モードを選択し、Ｆｌａｓｈ  Ｍｅｍｏｒｙ１０に内蔵のテンプレート画像を選択する。テンプレート画像一覧がＬＣＤ１１に表示された後、撮影者はその中から適当なテンプレートを選択する。そして、撮影モニタリングが始まり、ＬＣＤにその撮像が表示され、テンプレート画像がスーパーインポーズされて表示される。撮影者は確認しながら構図を決め、シャッターボタンを押すと、撮像画像が取り込まれ、テンプレート画像と合成しない素のままの画像がＬＣＤに表示され、続いてテンプレート画像と合成した画像が表示される。そして、合成画像とオリジナル画像の２枚の画像がＣＦに保存される。【選択図】        図１
2004153345.tif 000002
【特許請求の範囲】
【請求項１】
固体撮像素子で撮像し、撮像した画像を電子データとして静止画若しくは動画として記録メディアに記録する撮像装置において、
合成処理を行うテンプレート画像を少なくとも１枚以上前記撮像装置に内蔵する手段と、
前記テンプレート画像の中からユーザが適宜任意の１枚を選択する手段と、
前記撮像した画像と選択された前記テンプレート画像を前記撮像装置内で合成する手段と、
合成後の撮像画像とともに、合成処理をしない前記撮像した画像を電子データとして記録する手段とを有することを特徴とする撮像装置。
【請求項２】
さらに撮像画像を表示する表示手段を有し、
前記表示手段によって、撮像を行おうとしている画像と前記テンプレート画像との仮の合成画像を、ユーザが撮影前に確認できることを特徴とする請求項１記載の撮像装置。
【請求項３】
さらに撮像画像を表示する表示手段を有し、
前記表示手段によって、前記合成後の撮像画像及び前記合成処理をしない撮像した画像の双方を、ユーザが撮影後に確認できることを特徴とする請求項１記載の撮像装置。
【請求項４】
固体撮像素子で撮像し、撮像した画像を電子データとして静止画若しくは動画として記録メディアに記録する撮像装置において、
撮像時の方位情報を検知及び保持する手段と、
撮影被写体の測距情報を取得及び保持する手段と、
前記撮像装置の位置情報を検知及び保持する手段と、
前記撮像した画像を前記記録メディアに記録する際に、前記撮像した画像自体に、前記撮像方位情報と、前記測距情報と、前記位置情報とを不可視的に埋め込む手段と、
前記撮像した画像自体に、前記撮像方位情報を可視的な表示として上書き合成する手段とを有することを特徴とする撮像装置。
【請求項５】
固体撮像素子で撮像し、撮像した画像を電子データとして静止画若しくは動画として記録メディアに記録する撮像方法において、
合成処理を行うテンプレート画像を少なくとも１枚以上前記撮像装置に内蔵するステップと、
前記テンプレート画像の中からユーザが適宜任意の１枚を選択するステップと、
前記撮像した画像と選択された前記テンプレート画像を前記撮像装置内で合成するステップと、
合成後の撮像画像とともに、合成処理をしない前記撮像した画像を電子データとして記録するステップとを有することを特徴とする撮像方法。
【請求項６】
前記テンプレート画像は、ユーザが自由に登録及び削除が可能であることを特徴とする請求項５記載の撮像方法。
【請求項７】
前記テンプレート画像は、前記撮像装置に着脱可能な電子データ記録媒体に記録されたものから登録することを特徴とする請求項５記載の撮像方法。
【請求項８】
前記テンプレート画像は、ネットワークを介し、前記撮像装置にダウンロードすることにより登録することを特徴とする請求項５記載の撮像方法。
【請求項９】
さらに撮像画像を表示する表示ステップを有し、
前記表示ステップによって、撮像を行おうとしている画像と前記テンプレート画像との仮の合成画像を、ユーザが撮影前に確認できることを特徴とする請求項５記載の撮像方法。
【請求項１０】
さらに撮像画像を表示する表示ステップを有し、
前記表示ステップによって、前記合成後の撮像画像及び前記合成処理をしない撮像した画像の双方を、ユーザが撮影後に確認できることを特徴とする請求項５記載の撮像方法。
【請求項１１】
固体撮像素子で撮像し、撮像した画像を電子データとして静止画若しくは動画として記録メディアに記録する撮像方法において、
撮像時の方位情報を検知及び保持するステップと、
撮影被写体の測距情報を取得及び保持するステップと、
前記撮像装置の位置情報を検知及び保持するステップと、
前記撮像した画像を前記記録メディアに記録する際に、前記撮像した画像自体に、前記撮像方位情報と、前記測距情報と、前記位置情報とを不可視的に埋め込むステップと、
前記撮像した画像自体に、前記撮像方位情報を可視的な表示として上書き合成し、記録するステップとを有することを特徴とする撮像方法。
【請求項１２】
前記撮像した画像を前記記録メディアに記録する際に、撮像した画像フレーム中に、前記撮像方位情報と、前記測距情報と、前記位置情報とを電子透かしにより不可視的に埋め込むことを特徴とする請求項１１記載の撮像方法。
【請求項１３】
前記可視的な表示は、マーク様及びシンボル様であることを特徴とする請求項１１記載の撮像方法。
【請求項１４】
固体撮像素子で撮像し、撮像した画像を電子データとして静止画若しくは動画として記録メディアに記録する処理とをコンピュータに実行させるためのプログラムを記録した記録媒体において、
合成処理を行うテンプレート画像を少なくとも１枚以上前記撮像装置内に保持する処理と、
前記テンプレート画像の中からユーザが適宜任意の１枚を選択する処理と、
前記撮像した画像と前記テンプレート画像を前記撮像装置内で合成する処理と合成後の撮像画像とともに、合成処理をしない前記撮像した画像を電子データとして記録する処理とをコンピュータに実行させるためのプログラムを記録した記録媒体。
【請求項１５】
固体撮像素子で撮像し、撮像した画像を電子データとして静止画若しくは動画として記録メディアに記録する処理とをコンピュータに実行させるためのプログラムを記録した記録媒体において、
撮像時の方位情報を検知及び保持する処理と、
撮影被写体の測距情報を取得及び保持する処理と、
前記撮像装置の位置情報を検知及び保持する処理と、
前記撮像した画像を記録メディアに記録する際に、前記撮像した画像自体に、前記撮像方位情報と、前記測距情報と、前記位置情報とを埋め込む処理と、
前記撮像した画像自体に、前記撮像方位情報を可視的な表示として上書き合成する処理とをコンピュータに実行させるためのプログラムを記録した記録媒体。
【発明の詳細な説明】
【０００１】
【発明の属する技術分野】
本発明は、例えばデジタルビデオカメラ、デジタルスチルカメラのように、ＣＣＤエリアセンサ、ＣＭＯＳエリアセンサ等の固体撮像素子を用いた画像入力機器に適用できる撮像装置、撮像方法および同方法のプログラムを記録した記録媒体に関する。
【０００２】
【従来の技術】
従来、ユーザが撮像した画像と背景画像であるテンプレート画像とを合成してプリント出力する方法を用いた撮像装置がある。このような撮像装置として、例えば、業務用として店頭などに設置される写真シールプリント装置や、個人用として持ち運びに便利なデジタルカメラ装置などが一般的に知られている。特に、ユーザ自身で自由な操作を行えるデジタルカメラ装置は、撮像した画像をパーソナルコンピュータなどで取り込み、レタッチソフトなどで自分の好みに編集した後、その合成した撮像画像を手軽にプリンタ出力することができる。
【０００３】
また、撮像装置にＧＰＳを内蔵もしくはそれを応用したナビゲーションシステムなどと連動させる方法または装置は、それ自体をナビとして使用したり、個人アルバムもしくは観光案内などにしたりして利用されている。
【０００４】
上述のような従来例として、撮像画像とテンプレート画像を合成してプリント出力する方法または装置で、近時、このような類の出願として、写真シールプリント装置（特許文献１参照）や、複数の背景画像を保持し、撮影画像と、合成及び記録をするデジタルカメラ装置がある（特許文献７参照）。また、写真のネガなどから電子的な画像を起こし、起こし画像に修正や合成などの編集処理をかけプリント出力する方法または装置では、写真処理システムがある（特許文献２参照）。また、レイアウトが自由な特殊プリントの作成が可能なプリント作成システム（特許文献３参照）、複数の画像データを合成してプリントすることができるプリント作成装置及びプリント作成方法がある（特許文献４参照）。さらに、撮像装置にＧＰＳを内蔵もしくはそれを応用したナビゲーションシステムなどと連動させる方法または装置で、近時、このような類の出願として、画像処理装置や、カメラシステム及びプリンタ付きカメラがある（特許文献５、６参照）。また、位置・方位・距離データを画像情報とともに記録する工事映像の編集方法もある（特許文献８参照）。
【０００５】
【特許文献１】
実用新案登録第３０４４５００号公報（１−５頁、図２）
【特許文献２】
特開平１１−８８５７７号公報（１−４頁、図３）
【特許文献３】
特開２０００−０７８５０３号公報（１−３頁、図２）
【特許文献４】
特開２００１−２４５２５４号公報（１−３頁、図１）
【特許文献５】
特開平９−１３９９０６号公報（１−３頁、図１）
【特許文献６】
特開２００１−６１０８９号公報（１−３頁、図１）
【特許文献７】
特開２００１−４５３５２号公報（１−４頁、図１）
【特許文献８】
特開平８−８８８２５号公報（１−３頁、図２）
【０００６】
【発明が解決しようとする課題】
しかしながら、撮像画像とテンプレート画像を合成してプリント出力する方法または装置である、いわゆる「プリントクラブ」（登録商標）や、写真のネガなどから電子的な画像を起こし、起こし画像に修正や合成などの編集処理をかけプリント出力する方法または装置は、ＤＰＥ店などで使用される業務用の設計であり、いずれも据え付け型であったり、装置が大型になったりするため、ユーザ自身が個人用として自由に操作して楽しめるものとは言い難い。
【０００７】
また、パーソナルコンピュータなどを使用して、撮像画像とテンプレート画像を合成し、プリント出力する個人用としてのデジタルカメラ装置は、合成した画像とともに、合成処理をする前の元の撮像画像を保存・記録しておくことができないので、元の撮像画像もそのまま保持したいユーザにとっては不便であった。また、デジタルスチルカメラのユーザが、必ずしもパーソナルコンピュータを所有しているとは限らないという問題もあった。
【０００８】
一方、撮像装置にＧＰＳを内蔵もしくはそれを応用したナビゲーションシステムなどと連動させる方法または装置は、不動産物件などで利用する場合、物件の位置は特定できても、窓や入り口がどの方向を向いているのかなど画像だけからでは特定できない。また、ニュース現場や自然災害時の俯瞰的な状況撮影などで利用する場合、状況は判っても、どの方向からの俯瞰なのか特定するのに、後で照合する必要があるなど、手間と時間がかかる。
【０００９】
上述のことから、従来例の特許文献１から４、および７記載の装置及び方法においても、店頭用の据え付け型で、かつ大型であるため、個人用としては不向きであったり、また、装置内蔵の背景画像と撮像画像とを合成してプリントする場合に、合成前の元の撮像画像を保存・記録することができなかったりという問題がある。また、特許文献５、６、８記載の装置および方法は、文字情報として画像に合成し、記録することはできるが、マークやシンボルなどの視覚的な表示をすることはできない。
【００１０】
本発明は上記事情に鑑みてなされたものであり、利便性及び娯楽性を向上させた撮像装置、撮像方法および同方法のプログラムを記録した記録媒体を提供することを目的とする。
【００１１】
【課題を解決するための手段】
かかる目的を達成するために、請求項１記載の撮像装置は、固体撮像素子で撮像した画像を電子データとして静止画若しくは動画として記録メディアに記録する撮像装置であって、合成処理を行うテンプレート画像を少なくとも１枚以上撮像装置に内蔵する手段と、テンプレート画像の中からユーザが適宜任意の１枚を選択する手段と、撮像した画像と選択されたテンプレート画像を撮像装置内で合成する手段と、合成後の撮像画像及び合成処理をしない撮像した画像の双方を電子データとして記録する手段とを有することを特徴としている。
【００１２】
請求項２記載の撮像装置は、請求項１記載の撮像装置において、さらに撮像画像を表示する表示手段を有し、該表示手段によって、撮像を行おうとしている画像とテンプレート画像とを合成した仮の合成画像を、ユーザが撮影前に確認できることを特徴としている。
【００１３】
請求項３記載の撮像装置は、請求項１記載の撮像装置において、さらに撮像画像を表示する表示手段を有し、該表示手段によって、合成後の撮像画像及び合成処理をしない撮像した画像の双方を、ユーザが撮影後に確認できることを特徴としている。
【００１４】
請求項４記載の撮像装置は、固体撮像素子で撮像した画像を電子データとして静止画若しくは動画として記録メディアに記録する撮像装置であって、撮像時の方位情報を検知及び保持する手段と、撮影被写体の測距情報を取得及び保持する手段と、撮像装置の位置情報を検知及び保持する手段と、撮像した画像を記録メディアに記録する際に、撮像した画像自体に撮像方位情報と、測距情報と、位置情報とを不可視的に埋め込む手段と、撮像した画像自体に撮像方位情報を可視的な表示として上書き合成する手段とを有することを特徴としている。
【００１５】
請求項５記載の撮像方法は、固体撮像素子で撮像した画像を電子データとして静止画若しくは動画として記録メディアに記録する撮像方法であって、合成処理を行うテンプレート画像を少なくとも１枚以上撮像装置に内蔵するステップと、テンプレート画像の中からユーザが適宜任意の１枚を選択するステップと、撮像した画像と選択されたテンプレート画像を撮像装置内で合成するステップと、合成後の撮像画像及び合成処理をしない撮像画像の双方を電子データとして記録するステップとを有することを特徴としている。
【００１６】
請求項６記載の撮像方法は、請求項５記載の撮像方法において、テンプレート画像は、ユーザが自由に登録及び削除が可能であることを特徴としている。
【００１７】
請求項７記載の撮像方法は、請求項５記載の撮像方法において、テンプレート画像は、撮像装置に着脱可能な電子データ記録媒体に記録されたものから登録することを特徴としている。
【００１８】
請求項８記載の撮像方法は、請求項５記載の撮像方法において、テンプレート画像は、ネットワークを介し、撮像装置にダウンロードすることにより登録することを特徴としている。
【００１９】
請求項９記載の撮像方法は、請求項５記載の撮像方法において、さらに撮像画像を表示する表示ステップを有し、該表示ステップによって、撮像を行おうとしている画像とテンプレート画像とを合成した仮の合成画像を、ユーザが撮影前に確認できることを特徴としている。
【００２０】
請求項１０記載の撮像方法は、請求項５記載の撮像方法において、さらに撮像画像を表示する表示ステップを有し、該表示ステップによって、合成後の撮像画像及び合成処理をしない撮像画像の双方を、ユーザが撮影後に確認できることを特徴としている。
【００２１】
請求項１１記載の撮像方法は、固体撮像素子で撮像した画像を電子データとして静止画若しくは動画として記録メディアに記録する撮像方法であって、撮像時の方位情報を検知及び保持するステップと、撮影被写体の測距情報を取得及び保持するステップと、撮像装置の位置情報を検知及び保持するステップと、撮像した画像を記録メディアに記録する際に、撮像した画像自体に撮像方位情報と、測距情報と、位置情報とを不可視的に埋め込むステップと、撮像した画像自体に撮像方位情報を可視的な表示として上書き合成し、記録するステップとを有することを特徴としている。
【００２２】
請求項１２記載の撮像方法は、請求項１１記載の撮像方法において、撮像した画像を記録メディアに記録する際に、撮像した画像フレーム中に、撮像方位情報と、測距情報と、位置情報とを電子透かしにより不可視的に埋め込むことを特徴としている。
【００２３】
請求項１３記載の撮像方法は、請求項１１記載の撮像方法において、可視的な表示は、マーク様及びシンボル様であることを特徴としている。
【００２４】
請求項１４記載のプログラムを記録した記録媒体は、固体撮像素子で撮像した画像を電子データとして静止画若しくは動画として記録メディアに記録する処理とをコンピュータに実行させるためのプログラムを記録した記録媒体であって、合成処理を行うテンプレート画像を少なくとも１枚以上前記撮像装置内に保持する処理と、テンプレート画像の中からユーザが適宜任意の１枚を選択する処理と、撮像した画像とテンプレート画像を撮像装置内で合成する処理と、合成後の撮像画像及び合成処理をしない撮像画像の双方を電子データとして記録する処理とをコンピュータに実行させることを特徴としている。
【００２５】
請求項１５記載のプログラムを記録した記録媒体は、固体撮像素子で撮像した画像を電子データとして静止画若しくは動画として記録メディアに記録する処理とをコンピュータに実行させるためのプログラムを記録した記録媒体であって、撮像時の方位情報を検知及び保持する処理と、撮影被写体の測距情報を取得及び保持する処理と、撮像装置の位置情報を検知及び保持する処理と、撮像した画像を記録メディアに記録する際に、撮像した画像自体に撮像方位情報と、測距情報と、位置情報を埋め込む処理と、撮像した画像自体に撮像方位情報を可視的な表示として、上書き合成する処理とをコンピュータに実行させることを特徴としている。
【００２６】
【発明の実施の形態】
以下に添付図面を参照して、本発明に係る撮像装置をデジタルスチルカメラに適用した好適な実施の形態を詳細に説明する。
【００２７】
（実施の形態１）
図１は、実施の形態１に係るデジタルスチルカメラ１の構成図である。図１に示すデジタルスチルカメラは、大別すると、被写体像をＣＣＤ４に結像するレンズ系２、絞り３、画像データの各種データ処理を行うイメージプリプロセッサ（Ｉｍａｇｅ  Ｐｒｅ−Ｐｒｏｃｅｓｓｏｒ  、以下ＩＰＰという）部５と、内部バス６と、デジタルスチルカメラの各部の動作を制御するＣＰＵ７と、プログラムやデータを保存するＲＯＭ８、ＲＡＭ９、フラッシュメモリ（Ｆｌａｓｈ  Ｍｅｍｏｒｙ）１０、撮像した画像などを表示する液晶パネル（ＬＣＤ）１１、ＰＣＭＣＩＡタイプのカードスロット１２とそこに着脱するコンパクトフラッシュ（Ｒ）カード（ＣＦカード）１３や無線通信カード１４、ＵＳＢインターフェース１５、を備えている。
【００２８】
次に、上記構成のデジタルスチルカメラを用いた本発明の実施例の動作概略を図２から図６を参照にして説明する。まず、撮影に先だって撮影者は、図示しない操作ボタンなどにより撮像するモードを選択する（図２Ｓ１１、図３（ａ））。この実施例ではテンプレート合成撮影が選択されたものとする。尚、この実施例と直接関係しない他の通常撮影モードなどについての説明は省略する。
【００２９】
次に、デジタルスチルカメラは、どこからそのテンプレートファイルを読み出すかを聞いてくる（図２Ｓ１２、図３（ｂ））。この実施例では、製品出荷時にＦｌａｓｈ  Ｍｅｍｏｒｙ１０に予め内蔵されているテンプレート画像を選択したものとする。するとテンプレート画像の一覧がＬＣＤに表示される（図２Ｓ１３、図４）。撮影者はその中から適当なテンプレートを選択する（図２Ｓ１４）。ここでは図４（ｂ）に示すテンプレート画像が選択されたものとする。
【００３０】
上述の設定が済むと、通常の撮影と同じように撮影モニタリングが始まり、ＬＣＤ１１にその撮像が表示される（図２Ｓ１５、図５）。そして、間髪を置かずテンプレート画像がスーパーインポーズされて表示される（図２Ｓ１６、図６）。以上の動作により、撮影者は構図を確認しながら撮影できる。
【００３１】
次に撮影者が構図を決め、シャッターボタンを押すと、撮像画像が取り込まれ（図２Ｓ１７）、テンプレート画像と合成しない素のままの画像（オリジナル画像）がＬＣＤ１１に表示され（図２Ｓ１８）、続いてテンプレート画像と合成した画像が表示される（図２Ｓ１９）。そして、合成画像とオリジナル画像の２枚の画像がＣＦ１３に保存される（図２Ｓ２０、Ｓ２１）。
【００３２】
以上、実施の形態１の説明によれば、本発明の撮像装置及び撮像方法は、合成画像とオリジナル画像の２枚の画像を保存することによって、撮影後すぐに合成画像をプリントアウトしたいなどの即興性と、後日レタッチソフトなどで合成／修正したい、若しくは素のままの画像も欲しいなどの自由度を考慮することができる。
【００３３】
（実施の形態２）
次に、実施の形態２について説明する。テンプレート撮影の基本動作、ハードウェア構成などは、実施の形態１とほぼ同様であり、すでに言及しているので省略し、主に差異の部分について述べる。
【００３４】
実施の形態１では、テンプレート画像を内蔵のメモリから読み込んだが、図３の（ｂ）でカードを選択すれば、主に撮影画像を収録するために用いられているＣＦ１３中に置かれているテンプレート画像を読み込むことができる。
【００３５】
従って、予めパーソナルコンピュータなどでテンプレート画像を作り、ＣＦ１３に書き込み、デジタルスチルカメラのＰＣＭＣＩＡスロット１２に差し込むだけで、すぐにテンプレート画像として使用できる。
【００３６】
また、テンプレート画像とはいえ、実質は画像データに他ならないので、内蔵のテンプレート画像にＣＦ１３のテンプレート画像を付け加えたり、内蔵のテンプレート画像であまり使わないものをＣＦ１３のテンプレート画像で置き換えたりなどの登録削除を、撮影画像の追加／削除と同じ感覚で操作することができる。
【００３７】
さらに、図３の（ｂ）でダウンロードを選択すれば、ＨＴＴＰやＦＴＰなどを使って、外部のコンピュータと通信し、サーバなどに置かれているテンプレート画像をダウンロードすることができる。
【００３８】
以上、実施の形態２の説明によれば、本発明の撮像装置及び同方法は、撮像装置に内蔵のテンプレート画像について、ユーザは自由に登録／削除できるだけでなく、外部のコンピュータで作成したものやダウンロードしたものについても登録／削除が自由にでき、すぐにそれらを使用できるので、ユーザは自分の好みに応じてテンプレート画像を選択し、使用することができる。
【００３９】
（実施の形態３）
次に、実施の形態３について説明する。ハードウェア構成などは、実施の形態１とほぼ同様であり、すでに言及しているので省略し、主に差異の部分について述べる。
【００４０】
図７は、実施の形態２に係るデジタルスチルカメラの構成図である。実施の形態１との相違点は、ＧＰＳ１６、電子コンパス１７が搭載されていることである。
【００４１】
では、上記構成のデジタルスチルカメラの実施例における動作の概略について、図８及び図９を参照にして説明する。まず、撮影者はデジタルカメラを位置・方位情報埋め込みモードにして（図８Ｓ１１）、構図を決め、シャッタを切る。これによってまず撮影画像が取り込まれる（図８Ｓ１２）。このとき、ＡＦ（オートフォーカス）若しくはＭＦ（マニュアルフォーカス）によって得られた測距情報を保持しておく（図８Ｓ１５）。ＧＰＳは位置情報を検知・収集し（図８Ｓ１３）、一方、電子コンパスは方位情報を検知・収集する（図８Ｓ１４）。そして、ＣＰＵではこれらの情報を撮像した画像に、不可視的に、即ち電子透かしとして埋め込む（図８Ｓ１７）。
【００４２】
但し、方位情報に関しては、その情報を人間にとってわかりやすいマーク様またはシンボル様に加工し、撮像した画像（図９（ａ））に上書きする（図８Ｓ１６、図９（ｂ））。この実施例では方位磁針を模ったマークで、撮像画像の左下隅に上書きしているが、図９（ｃ）に示すようにいろいろなバリエーションが考えられ、これに限定されるものではない。
【００４３】
そして、最後に、この位置・方位・測距情報を埋め込んだ画像をＣＦなどの記録メディアに書き込む（図８Ｓ１８）。
【００４４】
尚、本発明では、デバイス、記録メディアや通信手段、マーク（シンボル）等はこれに限定されるものではなく、即ち、本発明は上記した実施の形態に限定されるものではなく、発明の要旨を変更しない範囲で適宜可能である。
【００４５】
以上、実施の形態３の説明によれば、本発明の撮像装置及び同方法は、撮影した画像上に、視覚的にわかりやすいマークやシンボル等で方位情報を表示することができるので、撮影した画像を見た時に位置・方角がわかりやすい。
【００４６】
【発明の効果】
請求項１記載の撮像装置によれば、固体撮像素子で撮像した画像を電子データとして静止画若しくは動画として記録メディアに記録する撮像装置であって、合成処理を行うテンプレート画像を少なくとも１枚以上撮像装置に内蔵する手段と、テンプレート画像の中からユーザが適宜任意の１枚を選択する手段と、撮像した画像と選択されたテンプレート画像を撮像装置内で合成する手段と、合成後の撮像画像及び合成処理をしない撮像した画像の双方を電子データとして記録する手段とを有することを特徴としているので、撮像装置の利便性及び娯楽性を向上させることができる。
【００４７】
請求項２記載の撮像装置によれば、請求項１記載の撮像装置において、さらに撮像画像を表示する表示手段を有し、該表示手段によって、撮像を行おうとしている画像とテンプレート画像とを合成した仮の合成画像を、ユーザが撮影前に確認できることを特徴としているので、撮像装置の利便性及び娯楽性を向上させることができる。
【００４８】
請求項３記載の撮像装置によれば、請求項１記載の撮像装置において、さらに撮像画像を表示する表示手段を有し、該表示手段によって、合成後の撮像画像及び合成処理をしない撮像した画像の双方を、ユーザが撮影後に確認できることを特徴としているので、撮像装置の利便性及び娯楽性を向上させることができる。
【００４９】
請求項４記載の撮像装置によれば、固体撮像素子で撮像した画像を電子データとして静止画若しくは動画として記録メディアに記録する撮像装置であって、撮像時の方位情報を検知及び保持する手段と、撮影被写体の測距情報を取得及び保持する手段と、撮像装置の位置情報を検知及び保持する手段と、撮像した画像を記録メディアに記録する際に、撮像した画像自体に撮像方位情報と、測距情報と、位置情報とを不可視的に埋め込む手段と、撮像した画像自体に撮像方位情報を可視的な表示として上書き合成する手段とを有することを特徴としているので、撮像装置の柔軟性、利便性及び娯楽性を向上させることができる。
【００５０】
請求項５記載の撮像方法によれば、固体撮像素子で撮像した画像を電子データとして静止画若しくは動画として記録メディアに記録する撮像方法であって、合成処理を行うテンプレート画像を少なくとも１枚以上撮像装置に内蔵するステップと、テンプレート画像の中からユーザが適宜任意の１枚を選択するステップと、撮像した画像と選択されたテンプレート画像を撮像装置内で合成するステップと、合成後の撮像画像及び合成処理をしない撮像画像の双方を電子データとして記録するステップとを有することを特徴としているので、撮像装置の利便性及び娯楽性を向上させることができる。
【００５１】
請求項６記載の撮像方法によれば、請求項５記載の撮像方法において、テンプレート画像は、ユーザが自由に登録及び削除が可能であることを特徴としているので、撮像装置の柔軟性、利便性及び娯楽性を向上させることができる。
【００５２】
請求項７記載の撮像方法によれば、請求項５記載の撮像方法において、テンプレート画像は、撮像装置に着脱可能な電子データ記録媒体に記録されたものから登録することを特徴としているので、撮像装置の柔軟性、利便性及び娯楽性を向上させることができる。
【００５３】
請求項８記載の撮像方法によれば、請求項５記載の撮像方法において、テンプレート画像は、ネットワークを介し、撮像装置にダウンロードすることにより登録することを特徴としているので、撮像装置の柔軟性、利便性及び娯楽性を向上させることができる。
【００５４】
請求項９記載の撮像方法によれば、請求項５記載の撮像方法において、さらに撮像画像を表示する表示ステップを有し、該表示ステップによって、撮像を行おうとしている画像とテンプレート画像とを合成した仮の合成画像を、ユーザが撮影前に確認できることを特徴としているので、撮像装置の柔軟性、利便性及び娯楽性を向上させることができる。
【００５５】
請求項１０記載の撮像方法によれば、請求項５記載の撮像方法において、さらに撮像画像を表示する表示ステップを有し、該表示ステップによって、合成後の撮像画像及び合成処理をしない撮像画像の双方を、ユーザが撮影後に確認できることを特徴としているので、撮像装置の柔軟性、利便性及び娯楽性を向上させることができる。
【００５６】
請求項１１記載の撮像方法によれば、固体撮像素子で撮像した画像を電子データとして静止画若しくは動画として記録メディアに記録する撮像方法であって、撮像時の方位情報を検知及び保持するステップと、撮影被写体の測距情報を取得及び保持するステップと、撮像装置の位置情報を検知及び保持するステップと、撮像した画像を記録メディアに記録する際に、撮像した画像自体に撮像方位情報と、測距情報と、位置情報とを不可視的に埋め込むステップと、撮像した画像自体に撮像方位情報を可視的な表示として上書き合成し、記録するステップとを有することを特徴としているので、撮像装置の柔軟性、利便性及び娯楽性を向上させることができる。
【００５７】
請求項１２記載の撮像方法によれば、請求項１１記載の撮像方法において、撮像した画像を記録メディアに記録する際に、撮像した画像フレーム中に、撮像方位情報と、測距情報と、位置情報とを電子透かしにより不可視的に埋め込むことを特徴としているので、撮像装置の柔軟性、利便性及び娯楽性を向上させることができる。
【００５８】
請求項１３記載の撮像方法によれば、請求項１１記載の撮像方法において、可視的な表示は、マーク様及びシンボル様であることを特徴としているので、撮像装置の柔軟性、利便性及び娯楽性を向上させることができる。
【００５９】
請求項１４記載のプログラムを記録した記録媒体によれば、固体撮像素子で撮像した画像を電子データとして静止画若しくは動画として記録メディアに記録する処理とをコンピュータに実行させるためのプログラムを記録した記録媒体であって、合成処理を行うテンプレート画像を少なくとも１枚以上前記撮像装置内に保持する処理と、テンプレート画像の中からユーザが適宜任意の１枚を選択する処理と、撮像した画像とテンプレート画像を撮像装置内で合成する処理と、合成後の撮像画像及び合成処理をしない撮像画像の双方を電子データとして記録する処理とをコンピュータに実行させることを特徴としているので、撮像装置の利便性及び娯楽性を向上させることができる。
【００６０】
請求項１５記載のプログラムを記録した記録媒体によれば、固体撮像素子で撮像した画像を電子データとして静止画若しくは動画として記録メディアに記録する処理とをコンピュータに実行させるためのプログラムを記録した記録媒体であって、撮像時の方位情報を検知及び保持する処理と、撮影被写体の測距情報を取得及び保持する処理と、撮像装置の位置情報を検知及び保持する処理と、撮像した画像を記録メディアに記録する際に、撮像した画像自体に撮像方位情報と、測距情報と、位置情報を埋め込む処理と、撮像した画像自体に撮像方位情報を可視的な表示として、上書き合成する処理とをコンピュータに実行させることを特徴としているので、撮像装置の柔軟性、利便性及び娯楽性を向上させることができる。
【図面の簡単な説明】
【図１】実施の形態１及び２に係る撮影方法を適用したデジタルスチルカメラの構成を示すブロック図である。
【図２】実施の形態１及び２に係り、動作を説明するための流れ図である。
【図３】実施の形態１及び２に係り、動作を説明するための図である。
【図４】実施の形態１及び２に係り、動作を説明するための図である。
【図５】実施の形態１及び２に係り、動作を説明するための図である。
【図６】実施の形態１及び２に係り、動作を説明するための図である。
【図７】実施の形態３に係る撮影方法を適用したデジタルスチルカメラの構成を示すブロック図である。
【図８】実施の形態３に係り、動作を説明するための流れ図である。
【図９】実施の形態３に係り、動作を説明するための図である。
【符号の説明】
１  デジタルスチルカメラ
２  レンズ系
３  絞り
４  ＣＣＤ
５  イメージプリプロセッサ（ＩＰＰ）部
６  内部バス
７  ＣＰＵ
８  ＲＯＭ
９  ＲＡＭ
１０  フラッシュメモリ
１１  液晶パネル（ＬＣＤ）
１２  ＰＣＭＣＩＡスロット
１３  ＣＦカード
１４  無線通信カード
１５  ＵＳＢインターフェース
１６  ＧＰＳ
１７  電子コンパス
【図１】
2004153345.tif 000003
【図２】
2004153345.tif 000004
【図３】
2004153345.tif 000005
【図４】
2004153345.tif 000006
【図５】
2004153345.tif 000007
【図６】
2004153345.tif 000008
【図７】
2004153345.tif 000009
【図８】
2004153345.tif 000010
【図９】
2004153345.tif 000011